(57)【要約】【課題】この発明は、高濃度の廃液にも対応できる固液分離方法を提供しようとするものである。【解決手段】固体が溶解乃至分散した液体（１）に気体（２）を混合して気化して拡散させる拡散機構（３）と、気化した液体（１）から固体を分離・抽出する抽出機構とを具備するようにした。前記液体（１）を事前に電気分解する電解機構を有することとしてもよい。高濃度の廃液にも対応できることによって、種々の固液分離の用途に適用することができる。【選択図】図１
2018187562.tif 000002
【特許請求の範囲】
【請求項１】
固体が溶解乃至分散した液体（１）に気体（２）を混合して気化して拡散させる拡散機構（３）と、気化した液体（１）から固体を分離・抽出する抽出機構とを具備するようにしたことを特徴とする固液分離方法。
【請求項２】
前記液体（１）を事前に電気分解する電解機構を有する請求項１記載の固液分離方法。
【発明の詳細な説明】
【技術分野】
【０００１】
この発明は、特に高濃度の廃液に有用な固液分離方法に関するものである。
【背景技術】
【０００２】
従来、複合電解酸化分解装置に関する提案があった（特許文献１）。
工業廃水、特に、水系洗浄廃液中には、濃度の濃い、乳化、懸濁した油分、界面活性剤が含まれる場合が多く、乳化油の浄化、多量の界面活性剤を効果的、速効的、安価に分解、ＣＯＤ，ＢＯＤ値を排出基準以下に低減し、そのまま排出出来るものはなかった。
すなわち、工業廃水、下水などに含まれ、排出基準以上のＢＯＤあるいはＣＯＤ値をカウントする有機、無機起源の溶解性、微小懸濁、コロイド物質を、接触面積を飛躍的に拡大する活性炭の補助電極部を擁する陽極での酸化力、活性炭、黒鉛両電極を分解触媒として、同時に添加する過酸化水素の酸化力及び過酸化水素と電極界面での酸素との反応により生成される、不安定なＨＯ，ＨＯ2により、酸化作用が促進され、更に、同時に投入する鉄塩は電解によって、極めて酸化力の強い、鉄酸塩を生成、広範囲の廃液処理を可能にすることが出来る複合酸化処理方式を提供することを目的とし、陰陽両極に黒鉛、ステンレスなどの非溶出材料を使用し、陽極での酸素発生量の拡大のため投入する過酸化水素の触媒となり、廃液との接触面積を拡大することが出来る陽極に接した活性炭層を、陰陽両極間に設置、電解酸素と過酸化水素の分解酸素生成物ＨＯ，ＨＯ2を、廃水中の有機、無機起源の酸化対象物質の処理に供することが出来るというものである。
即ち、陰陽両極に黒鉛を使用し、陽極での廃液との接触面積の拡大、及び電解時に酸素発生量を飛躍的に増やすため、過酸化水素を投入、その分解の触媒とするため、活性炭を陰陽両極の間に充填し、電解時に発生する活性の強い酸素、過酸化水素の分解による酸素、同時に投入溶解する鉄塩の存在下及び電解の極めて活性の強い酸素によって生成されるＨＯ，ＨＯ2また、電気分解により生成を想定され鉄酸塩による更に強力な酸化力などの複合的酸化によって、広範囲の有機、無機起源の物質を酸化、分解できるというものである。
しかし、このものでは高濃度の廃液には対応できないという問題があった。
【先行技術文献】
【特許文献】
【０００３】
【特許文献１】特開平07-265862
【発明の概要】
【発明が解決しようとする課題】
【０００４】
そこでこの発明は、高濃度の廃液にも対応できる固液分離方法を提供しようとするものである。
【課題を解決するための手段】
【０００５】
前記課題を解決するためこの発明では次のような技術的手段を講じている。
（１）この発明の固液分離方法は、固体が溶解乃至分散した液体に気体を混合して気化して拡散させる拡散機構と、気化した液体から固体を分離・抽出する抽出機構とを具備するようにしたことを特徴とする。
この固液分離方法は、固体が溶解乃至分散した液体に気体を混合して気化して拡散させる拡散機構を有するので、液体の濃度（例えば、ＣＯＤやＴＯＣ）が高くても電気分解の場合のような難解な処理となることがない。
また、気化した液体から固体を分離・抽出する抽出機構を有するので、固体が有機物であって室温で固体の場合には炭化物として燃料利用することが出来る。
ここで、前記液体として、固体が溶解乃至分散した廃液を例示できる。また、前記固体として、液中に溶解しているショ糖（常温では固体）や、液中に溶解している食塩、湿潤して液中に分散している吸着剤（活性炭等）を例示できる。
さらに、前記拡散機構として、シロッコ・ファンや、ルーツ・ブロワーを例示できる。前記抽出機構として、サイクロンを例示できる。
【０００６】
（２）前記液体を事前に電気分解する電解機構を有するようにしてもよい。
このように構成すると、液体中に気化臭気成分が含まれていた場合、これを予め分解して無臭化しておくことが出来る。
【発明の効果】
【０００７】
この発明は上述のような構成であり、次の効果を有する。
液体の濃度が高くても電気分解の場合のような難解な処理となることがないので、高濃度の廃液にも対応できる固液分離方法を提供することが出来る。
【図面の簡単な説明】
【０００８】
【図１】この発明の固液分離方法の実施形態を説明する側面図。
【発明を実施するための形態】
【０００９】
以下、この発明の実施の形態を図面を参照して説明する。
図１に示すように、この実施形態の固液分離方法は、固体が溶解乃至分散した液体１に気体２（空気）を混合して気化して拡散させる拡散機構３と、気化した液体１から固体を分離・抽出する抽出機構とを具備するようにした。
前記液体１として、常温では固体のショ糖が溶解した廃液（COD 68,000ppm）を処理した。前記液体１（ショ糖と共にDMSOも含有された廃液）は、事前に無隔膜の電解機構（図示せず）で電気分解（6A/dm2）した。
また、前記拡散機構３として、モータMにより駆動されるシロッコ・ファンを前段（図示 下側）と後段（図示 上側）の2段階で使用した。
具体的には、前段のシロッコ・ファン（1,700rpm）に廃液（電解した汚水）を注入してミスト化し（空気量調整板４で風量を調整した）、次いで後段のシロッコ・ファン（3,400rpm）に送って前記ミストを微細化した。
また、粘性のあるショ糖でべとついたファンを洗浄するファン洗浄用電解水の供給口５を設けた。ミストしきれなかった液体は、下方のドレン６から抜くようにした。参考に図中、空気の流れを太字で示す。
前記抽出機構として、サイクロン（図示せず）を使用した。そして、その排気を400〜600℃のロータリー・キルン（図示せず）に送った。
【００１０】
次に、この実施形態の固液分離方法の使用状態を説明する。
この固液分離方法は、固体が溶解乃至分散した液体１に気体２を混合して気化して拡散させる拡散機構３を有するので、液体１の濃度（例えば、ＣＯＤやＴＯＣ）が高くても電気分解の場合のような難解な処理となることがなく、高濃度の廃液にも対応できるという利点がある。
また、気化した液体１から固体を分離・抽出する抽出機構を有するので、固体が有機物であって室温で固体の場合には炭化物として燃料利用することが出来るという利点がある。
さらに、前記液体１を、事前に電解機構で電気分解したので、液体中１に気化臭気成分（DMSO）が含まれていたが、これを予め分解して無臭化しておくことが出来た。
【産業上の利用可能性】
【００１１】
高濃度の廃液にも対応できることによって、種々の固液分離の用途に適用することができる。
【符号の説明】
【００１２】
１  液体
２  気体
３  拡散機構
【図１】
2018187562.tif 000003